(57)【要約】【課題】安価な構成でありながら、内視鏡光源装置内の振動源が発生する振動を効率よく吸収できる内視鏡用光源装置の制振構造を提供する。【解決手段】ケース１１の底部を構成する底板１２と、該底板から上方に離間し、かつモータ５０を支持する天板部２１、及び、天板部から下方に延びて上記底板の上面に当接する載置部２２、を有するベース部材２０と、ベース部材の天井部と上記底板の間に位置し、上面と下面が上記底板と天板部の対向面にそれぞれ接触する、弾性材料からなる制振部材２５と、を備える。【選択図】図２
2010172423.tif 000002
【特許請求の範囲】
【請求項１】
内視鏡用光源装置のケースの底部を構成する底板と、
上記ケース内において該底板から上方に離間し、かつ振動源を支持する天板部、及び、該天板部から下方に延びて上記底板の上面に当接する載置部、を有するベース部材と、
該ベース部材の上記天井部と上記底板の間に位置し、上面と下面が上記底板と天板部の対向面にそれぞれ接触する、弾性材料からなる制振部材と、
を備えることを特徴とする内視鏡用光源装置の制振構造。
【請求項２】
請求項１記載の内視鏡用光源装置の制振構造において、
上記制振部材が、
上面が上記天板部の下面に接触し、かつ下面が上記底板の上面から離間する基部と、
該基部の下面から下方に突出し、下面が上記底板の上面に接触する接触突部と、
を備える内視鏡用光源装置の制振構造。
【請求項３】
請求項２記載の内視鏡用光源装置の制振構造において、
上記基部の下面に、上記接触突部の周囲に位置する凹部を形成した内視鏡用光源装置の制振構造。
【請求項４】
請求項３記載の内視鏡用光源装置の制振構造において、
上記凹部が、上記接触突部の外周全体を囲む環状凹部である内視鏡用光源装置の制振構造。
【請求項５】
請求項１から４のいずれか１項記載の内視鏡用光源装置の制振構造において、
内視鏡用光源装置が、
光源と、
該光源から該内視鏡用光源装置に接続した内視鏡の接続端部に向かう光束上に位置し、回転することにより該光束を断続的に遮る回転チョッパと、
該回転チョッパを回転させる、上記制振源としてのモータと、
を備える内視鏡用光源装置の制振構造。
【発明の詳細な説明】
【技術分野】
【０００１】
本発明は、内視鏡用光源装置の制振構造に関する。
【背景技術】
【０００２】
内視鏡のユニバーサルチューブの端部に設けた接続端部（コネクタ部）が接続される内視鏡用光源装置は一般的に、中空箱状のケースと、ケース内に設けた光源と、ケースに形成した上記接続端部を接続するための接続部と光源との間に位置する回転チョッパと、ケース内に設けた回転チョッパを回転させるためのモータと、を具備している。
光源が点灯すると、光源から出た光束は内視鏡の接続端部に向かう。さらにモータが回転することにより光束上で回転チョッパが回転するので、回転チョッパによって光束が断続的に遮断される。従って、光源から出た光束は、回転チョッパによって光量を調整されながら内視鏡の接続端部に供給される。
【先行技術文献】
【特許文献】
【０００３】
【特許文献１】特開２００７−３１２９２９号公報
【発明の概要】
【発明が解決しようとする課題】
【０００４】
モータは回転時に振動を発生するので、この振動に対して何ら対策を施さない場合はケース全体が共振してしまう。ケースが共振すると、許容レベルを超えた騒音が発生するだけでなく、光源から出た光束を内視鏡の接続端部に正確に供給できなくなるおそれがある。
そのため従来は、ケースの底板上にガラスエポキシ樹脂からなる支持板を固定し、この支持板上にモータや光源などを固定していた。ガラスエポキシ樹脂からなる支持板は、適度な硬さがあるためモータや光源を安定した状態で支持可能であり、しかもモータの振動を吸収する機能を有しているので、当該構成を採用すれば上記問題を抑制できる。
しかし、ガラスエポキシ樹脂は非常に高価であるため、このような構成を採用すると内視鏡用光源装置の製造コストが高くなってしまう。
【０００５】
本発明は、安価な構成でありながら、内視鏡光源装置内の振動源が発生する振動を効率よく吸収できる内視鏡用光源装置の制振構造を提供することを目的とする。
【課題を解決するための手段】
【０００６】
本発明の内視鏡用光源装置の制振構造は、内視鏡用光源装置のケースの底部を構成する底板と、上記ケース内において該底板から上方に離間し、かつ振動源を支持する天板部、及び、該天板部から下方に延びて上記底板の上面に当接する載置部、を有するベース部材と、該ベース部材の上記天井部と上記底板の間に位置し、上面と下面が上記底板と天板部の対向面にそれぞれ接触する、弾性材料からなる制振部材と、を備えることを特徴としている。
【０００７】
上記制振部材が、上面が上記天板部の下面に接触し、かつ下面が上記底板の上面から離間する基部と、該基部の下面から下方に突出し、下面が上記底板の上面に接触する接触突部と、を備えるのが好ましい。
【０００８】
さらに、上記基部の下面に、上記接触突部の周囲に位置する凹部を形成してもよい。
この場合は、上記凹部を上記接触突部の外周全体を囲む環状凹部とするのが好ましい。
【０００９】
内視鏡用光源装置が、光源と、該光源から該内視鏡用光源装置に接続した内視鏡の接続端部に向かう光束上に位置し、回転することにより該光束を断続的に遮る回転チョッパと、該回転チョッパを回転させる、上記制振源としてのモータと、を備えていてもよい。
【発明の効果】
【００１０】
本発明によれば、互いに接触するケースの底板とベース部材の間に弾性材料からなる制振部材を位置させ、制振部材の上面と下面を底板と天板部の対向面にそれぞれ接触させているので、ベース部材の天井部で支持した振動源（例えば、回転チョッパを回転させるためのモータ）が振動を発生しても、当該振動は制振部材によって吸収されるため、ベース部材及びケースが共振することはない。しかも、ベース部材は硬質材料製とすることができ、かつケースの底板に接触しているので、ベース部材によって振動源を安定した状態で支持できる。
さらに、制振部材は一般的な弾性材料（例えばシリコンゴム）によって成形可能なので、安価に製造できる。そのため、内視鏡用光源装置の製造コストを低くすることが可能である。
【００１１】
請求項２のように構成すれば、基部の厚み（上下寸法）が底板と天板部の対向間寸法より明確に薄くなるように制振部材を形成しても、接触突部の下端をケースの底板に確実に接触させられる。そのため、基部の厚みを底板と天板部の対向間寸法と（ほぼ）同一となるように成形する場合に比べて、成形が容易になる。
しかも接触突部は弾性変形し易いので、制振部材の制振機能が向上する。
【００１２】
請求項３のように構成すれば、接触突部がより弾性変形し易くなるので、制振部材の制振機能がさらに向上する。
さらに、請求項４のように凹部を環状凹部とすれば、接触突部がさらに弾性変形し易くなるので、制振部材の制振機能がより向上する。
【図面の簡単な説明】
【００１３】
【図１】本発明の第１の実施形態の内視鏡用光源装置の一部を破断して示す平面図である。
【図２】内視鏡用光源装置の要部の縦断側面図である。
【図３】図１のIII−III矢線に沿う断面図である。
【図４】本発明の第２の実施形態の図２と同様の縦断側面図である。
【図５】同じく、自由状態にある制振部材の要部の拡大縦断側面図である。
【図６】同じく、自由状態にある制振部材の底面図である。
【図７】第２の実施形態の制振部材の変形例の接触突部とその周辺部の底面図である。
【図８】第２の実施形態の制振部材の別の変形例の縦断側面図である。
【発明を実施するための形態】
【００１４】
以下、図１〜図３を利用して本発明の第１の実施形態を説明する。以下の説明における方向は図中の矢印方向を基準としている（第２の実施形態も同様）。
本実施形態の内視鏡用光源装置１０は中空箱型（直方体）のケース１１を備えている。ケース１１は金属製（例えば、鉄）であり、底部は略水平な底板１２により構成してある。ケース１１の前板１３には円形である小径貫通孔１４が穿設してある。さらに、底板１２の上面の５箇所にはナット１７が溶着してある（図３に一つのみ図示）。
底板１２の上面には、下面のみが開口する中空形状のベース部材２０が載置してある。ベース部材２０は硬質プラスチック製（例えば、ポリカーボネートにＡＢＳ樹脂を混合した樹脂材料）であり、略水平かつ平面視矩形の天井部２１と、天井部２１の周縁部全体から垂下する平面視矩形枠状の周縁垂下部（載置部）２２と、を具備している。図３に示すように、天井部２１の各ナット１７と対応する箇所には５つの貫通孔２３が穿設してある。
ベース部材２０の内部空間には、該内部空間と略同じ形状をなす中実部材である制振部材２５が嵌合してある。制振部材２５はシリコンゴムからなる一体成形物であり、ナット１７及び貫通孔２３と対応する５箇所にはナット１７より大径で制振部材２５を厚み方向（上下方向）に貫通するねじ用貫通孔２６が形成してある。
図示するように、天井部２１の各貫通孔２３及び対応するねじ用貫通孔２６に、貫通孔２３より大径の頭部３１を有する固定ねじ３０のねじ部３２を挿入し、ねじ部３２を対応するナット１７に螺合することにより、ベース部材２０及び制振部材２５を底板１２に固定し、周縁垂下部２２の下面を底板１２の上面に接触させている。制振部材２５の自由状態における厚み（上下寸法）はベース部材２０の内部空間の上下寸法より僅かに大きいが、ケース１１をベース部材２０に固定すると制振部材２５は上下方向に僅かに圧縮される。そのため、制振部材２５の上面全体が天井部２１の下面に接触し、かつ制振部材２５の下面全体が底板１２の上面に接触する。
【００１５】
ベース部材２０の天井部２１の上面の前端部近傍には側面視Ｌ字形をなす金属製の固定部材３５が固定してある。固定部材３５の垂直支持片３６の下部には小径貫通孔１４と前後方向に対向する下部貫通孔（図示略）が形成してあり、垂直支持片３６の後面には下部貫通孔と連通する支持筒３８が固定してある。
天井部２１の上面の後部には光源固定枠４０が固定してあり、光源固定枠４０の前壁部には前部貫通孔（図示略）が形成してある。光源固定枠４０の内部にはランプからなる光源４１が固定してあり、光源４１は前部貫通孔を通して支持筒３８と前後方向に対向している。
さらに、天井部２１の上面には固定部材３５と光源固定枠４０の間に位置するレンズ支持部材（図示略）が固定してあり、このレンズ支持部材には支持筒３８及び光源４１と同軸をなす集光レンズＬが支持してある。
また、天井部２１の上面にはレンズ支持部材と光源固定枠４０の間に位置するチョッパ支持部材（図示略）が固定してあり、このチョッパ支持部材には回転軸Ａ回りに回転可能な回転チョッパ４５が支持してある（回転軸Ａは、支持筒３８、光源４１、及び集光レンズＬの中心軸から側方にずれている）。回転チョッパ４５は円板の一部を扇形状に切り欠いた複数の板を前後方向に同軸的に重ねたものである。
さらに、天井部２１の上面には回転チョッパ４５の各板をそれぞれ回転させるためのモータ（振動源）５０が固定してある。モータ５０が回転すると、回転チョッパ４５を構成する各板が相対回転（または同じ速度で同じ方向に回転）するので、各板の間に開口部が形成される。回転チョッパ４５は回転しながら、光源４１から集光レンズＬに向かう光束Ｏを通過するので、回転チョッパ４５が回転することにより、光源４１から集光レンズＬに供給される光量が変化する。
【００１６】
続いて、本実施形態の内視鏡用光源装置１０の動作について説明する。
まず、電子内視鏡のユニバーサルチューブの端部に形成したコネクタ部（接続端部）６０の端面に設けたライトキャリングバンドルスリーブ６１を、内視鏡用光源装置１０の小径貫通孔１４と垂直支持片３６の下部貫通孔と支持筒３８とにそれぞれ挿入する。ライトキャリングバンドルスリーブ６１の内部には、その前端が電子内視鏡の挿入部の先端に設けた照明レンズに接続するライトガイドファイババンドル（図示略）が設けてあり、ライトガイドファイババンドルの後端面がライトキャリングバンドルスリーブ６１の後端開口を介して集光レンズＬの直前に同軸的に位置する。従って、内視鏡用光源装置１０のメインスイッチをＯＮにして、光源４１から光を発射すると共にモータ５０を回転させると、光源４１で発生した光束Ｏが回転チョッパ４５によって調光されながら集光レンズＬに入り、さらに集光レンズＬによって集光されながらライトガイドファイババンドルの後端面に入る。従って、図示を省略したテレビモニタには、電子内視鏡の挿入部の先端部に設けた撮像手段が撮像した画像が表示される。
【００１７】
そして、モータ５０が回転することにより振動を発生すると、この振動がベース部材２０に伝わる。しかし、この振動の大部分はシリコンゴムからなる制振部材２５によって吸収されるので、ベース部材２０及びケース１１がモータ５０と共振することはない。従って、大きな騒音が発生することはなく、騒音は許容レベル以下となる。さらに、ベース部材２０の上面に固定した光源固定枠４０、上記レンズ支持部材、及び、固定部材３５が大きく振れることがないので、光源４１から発射された光束Ｏはライトキャリングバンドルスリーブ６１の後端開口からライトガイドファイババンドルの後端面に確実に供給される。
しかも、ベース部材２０は硬質プラスチック製であり、かつベース部材２０の周縁垂下部２２の下面全体がケース１１の底板１２の上面に接触しているので、ベース部材２０によって光源固定枠４０、上記レンズ支持部材、固定部材３５、及びモータ５０を安定した状態で支持できる。
さらに、制振部材２５は安価な材料であるシリコンゴム製なので、内視鏡用光源装置１０全体の製造コストを低くすることが可能である。
【００１８】
続いて、本発明の第２の実施形態について図４から図６を用いて説明する。なお、第１の実施形態と同じ部材には同じ符号を付すに止めて、その詳細な説明は省略する。
本実施形態の内視鏡用光源装置７０の特徴は制振部材７５にある。
制振部材７５は第１の実施形態と同じくシリコンゴム製である。制振部材７５の基部７６はベース部材２０の内部空間と略同じ平面形状をなす中実部であるが、その厚みはベース部材２０の内部空間の上下寸法より小さい。また、制振部材７５の下面には、その下端部が基部７６の下面よりも下方に突出する円柱形状の接触突部７７が突設してある。制振部材７５が自由状態にあるときの基部７６の上面から接触突部７７の下面までの直線距離は、ベース部材２０の内部空間の上下寸法より大きい。さらに、基部７６の下面における各接触突部７７の基端部の周辺部には円環状の環状凹部（凹部）７８が凹設してある。なお、図示は省略してあるが、基部７６には制振部材２５と同様のねじ用貫通孔２６が５つ形成してある。
従って、制振部材７５をベース部材２０の内部空間に嵌合した上で固定ねじ３０によってベース部材２０を底板１２に接触状態で固定すると、図４に示すように基部７６の上面全体が天井部２１の下面に接触するものの、基部７６の下面全体は底板１２の上面から上方に離間し、各接触突部７７が圧縮方向に弾性変形しながら底板１２の上面に接触する。
本実施形態の制振部材７５は、基部７６の厚み（上下寸法）が底板１２と天井部２１の対向間寸法より明確に薄くなるように成形するので、該対向間寸法とほぼ同じ厚みとして成形しなければならない制振部材２５に比べて成形が容易である。
しかも、基部７６の下面に接触突部７７の周囲を囲む環状凹部７８を形成してあるので、環状凹部７８を形成した分だけ各接触突部７７の長手寸法が長くなっている。そのため、各接触突部７７は圧縮方向に弾性変形し易すいので、各接触突部７７の断面積を大きくした場合であっても、制振部材７５は制振部材２５に比べて良好な制振機能を発揮できる。
なお、基部７６の厚みをベース部材２０の内部空間の上下寸法より著しく小さくすると、制振部材７５の制振機能が低下するので、基部７６の厚みは（底板１２に接触しない範囲で）出来る限りベース部材２０の内部空間の上下寸法に近づけるのがよい。
【００１９】
以上、第１及び第２の実施形態に基づいて本発明を説明したが、本発明は様々な変更を施しながら実施可能である。
例えば、制振部材２５及び制振部材７５をシリコンゴム以外の弾性材料から成形してもよい。
また、モータ５０とは別の振動源をベース部材２０の上面で支持してもよし、光源４１をランプとは別の光源（例えばＬＥＤ）としてもよい。
さらに、制振部材２５の自由状態における厚み（上下寸法）を、ベース部材２０の内部空間の上下寸法と完全に一致させてもよい。
さらに、図７に示すように、制振部材７５の下面に接触突部７７の周囲に位置する２つの円弧状凹部（凹部）７９を接触突部７７の周方向に等角度間隔で形成してもよい。このように環状ではない凹部を形成する場合の数は２つでなくてもよいが、複数形成する場合は周方向に等角度間隔で形成するのが好ましい。
また、図８に示すように、基部７６の下面に接触突部７７の周囲に位置する凹部を形成しないで実施してもよい。
【符号の説明】
【００２０】
１０    内視鏡用光源装置
１１    ケース
１２    底板
１３    前板
１４    小径貫通孔
１７    ナット
２０    ベース部材
２１    天井部
２２    周縁垂下部（載置部）
２３    貫通孔
２５    制振部材
２６    ねじ用貫通孔
３０    固定ねじ
３１    頭部
３２    ねじ部
３５    固定部材
３６    垂直支持片
３８    支持筒
４０    光源固定枠
４１    光源
４５    回転チョッパ
５０    モータ（振動源）
６０    コネクタ部（接続端部）
６１    ライトキャリングバンドルスリーブ
７０    内視鏡用光源装置
７５    制振部材
７６    基部
７７    接触突部
７８    環状凹部（凹部）
７９    円弧状凹部（凹部）
Ａ      回転軸
Ｌ      集光レンズ
【図１】
2010172423.tif 000003
【図２】
2010172423.tif 000004
【図３】
2010172423.tif 000005
【図４】
2010172423.tif 000006
【図５】
2010172423.tif 000007
【図６】
2010172423.tif 000008
【図７】
2010172423.tif 000009
【図８】
2010172423.tif 000010